(57)【要約】      （修正有）【課題】接続回路板が故障したとき、直接接続回路板と制御回路板を分離することができ、抜き取りに便利であると共に使用者が便利に使用することができる組立式マルチメディア多機能装置の提供。【解決手段】組立式マルチメディア多機能装置は、そのマルチメディア装置が表示インターフェース及びアクセスデバイスから構成され、そのうち、アクセスデバイスが殼体及び接続モジュールから構成され、接続モジュールが制御回路板及び接続回路板から構成され、制御回路板が殼体の片側に嵌合され、制御回路板及び接続回路板が接続インターフェースにより相互接続かつ導通され、これにより、接続回路板が故障したとき、直接接続回路板と制御回路板を分離することができ、抜き取りに便利で使用者が便利に使用することができる。【選択図】図１
0003139327.tif 000002
【実用新案登録請求の範囲】
【請求項１】
組立式マルチメディア多機能装置であって、前記マルチメディア装置が表示インターフェース及びアクセスデバイスから構成され、そのうち、前記アクセスデバイスが殼体及び接続モジュールから構成され、前記接続モジュールが制御回路板及び接続回路板から構成され、そのうち、前記制御回路板が前記殼体の片側に嵌合され、前記制御回路板及び接続回路板が接続インターフェースにより相互接続かつ導通され、これにより、前記接続回路板が故障したとき、直接前記接続回路板と前記制御回路板を分離することができるよう構成したことを特徴とする、組立式マルチメディア多機能装置。      
【請求項２】
前記マルチメディア装置が、写真のプリント及び多種類のマルチメディアサービスを使用者に提供し、且つ、使用者が伝送する必要があるデータを多種類のアクセスインターフェースを使用して前記マルチメディア装置に伝送することができることを特徴とする、請求項１に記載の組立式マルチメディア多機能装置。
【請求項３】
前記接続インターフェースが、IDE（Ｉｎｔｅｇｒａｔｅｄ  Ｄｒｉｖｅ  Ｅｌｅｃｔｒｏｎｉｃｓ）、ＳＡＴＡ（Sｅｒｉａｌ  Ａｄｖａｎｃｅｄ  ｔｅｃｈｎｏｌｏｇｙ  Ａｔｔａｃｈｍｅｎｔ）、ユニバーサルシリアルバス（ＵＳＢ、Ｕｎｉｖｅｒｓａｌ  Ｓｅｒｉａｌ  Ｂｕｓ）、ＩＥＥＥ１３９４（Ｉｎｓｔｉｔｕｔｅ  ｏｆ  Ｅｌｅｃｔｒｉｃａｌ  ａｎｄ  Ｅｌｅｃｔｒｏｎｉｃ  Ｅｎｇｉｎｅｅｒｓ  Ｓｔａｎｄａｒｄ  Ｂｕｓ  Ｉｎｔｅｒｆａｃｅ）、ＰＣＩ−Ｅ、エクスプレスカード等、関連の接続が達成できる接続インターフェースとすることができることを特徴とする、請求項１に記載の組立式マルチメディア多機能装置。
【請求項４】
前記接続回路板に複数のメモリカードスロット、複数の拡張デバイス、複数の表示ランプ及び伝送インターフェースが設けられ、且つ、別の箇所に前記メモリカードスロットに対応するパネルが設置されることを特徴とする、請求項１に記載の組立式マルチメディア多機能装置。
【請求項５】
前記拡張デバイスに拡張部材を設置することができ、前記拡張部材を無線デバイス、プリンタポート、ブルートゥース（Ｂｌｕｅ−ｔｏｏｔｈ）、携帯メモリ及びクレジットカードカードリーダ等、データ伝送が可能な関連の拡張部材とすることができることを特徴とする、請求項４に記載の組立式マルチメディア多機能装置。        
【請求項６】
前記接続回路板のメモリカードスロットが、ＣＦカード（ＣｏｍｐａｃｔＦｌａｓｈ  Ｍｅｍｏｒｙ  Ｃａｒｄ）、ＭＳカード（ＭｅｍｏｒｙＳｔｉｃｋ  Ｍｅｍｏｒｙ  Ｃａｒｄ）、ＳＤカード（Ｓｅｃｕｒｅ  Ｄｉｇｉｔａｌ  Ｍｅｍｏｒｙ  Ｃａｒｄ）、ミニＳＤカード（Ｍｉｎｉ  Ｓｅｃｕｒｅ  Ｄｉｇｉｔａｌ  Ｍｅｍｏｒｙ  Ｃａｒｄ）、マイクロＳＤカード（Ｍｉｃｒｏ  Ｓｅｃｕｒｅ  Ｄｉｇｉｔａｌ  Ｍｅｍｏｒｙ  Ｃａｒｄ）、ＭＭＣカード（Ｍｕｌｔｉ  Ｍｅｄｉａ  Ｍｅｍｏｒｙ  Ｃａｒｄ）、ＲＳＭＭＣカード（Ｒｅｄｕｃｅｄ  Ｓｉｚｅ  Ｍｕｌｔｉ  Ｍｅｄｉａ  Ｍｅｍｏｒｙ  Ｃａｒｄ）、ＳＭカード（Ｓｍａｒｔ  Ｍｅｄｉａ（登録商標）  Ｍｅｍｏｒｙ  Ｃａｒｄ）、ＸＤカード（ｅＸｔｒｅｍｅ  Ｄｉｇｉｔａｌ  Ｐｉｃｔｕｒｅ  Ｍｅｍｏｒｙ  Ｃａｒｄ）、Ｍ２カード（ＭＳ  Ｍｉｃｒｏ  Ｃａｒｄ）、ＭＭＣマイクロカード（Ｍｕｌｔｉ  Ｍｅｄｉａ  Ｍｅｍｏｒｙ  Ｃａｒｄ  Ｍｉｃｒｏ）等、メモリカードスロットに挿入可能な読み取り媒体の使用に供されることを特徴とする、請求項４に記載の組立式マルチメディア多機能装置。
【請求項７】
前記パネルが前記メモリカードスロットと相互に対応する複数の挿入スロットを備えていることを特徴とする、請求項４に記載の組立式マルチメディア多機能装置。     
【請求項８】
前記伝送インターフェースが、ユニバーサルシリアルバス（ＵＳＢ、Ｕｎｉｖｅｒｓａｌ  Ｓｅｒｉａｌ  Ｂｕｓ）、赤外線（ＩｒＤＡ  Ｉｎｆｒａ−ｒｅｄ  Ｄａｔａ  Ａｓｓｏｃｉａｔｉｏｎ  ）、ブルートゥース（Ｂｌｕｅ−ｔｏｏｔｈ）等、伝送可能なインターフェースとして設けることができることを特徴とする、請求項４に記載の組立式マルチメディア多機能装置。
【請求項９】
前記接続インターフェースが第一コネクタ部及び第二コネクタ部を備え、前記第一コネクタ部が前記制御回路板の片側に設置され、前記第二コネクタ部が前記接続回路板の片側に設置されることを特徴とする、請求項１に記載の組立式マルチメディア多機能装置。       
【請求項１０】
前記アクセスデバイスがさらに、３.５インチ、５.２５インチ及び複数の規格の寸法に設けることができ、且つ、デスクトップコンピュータ、ノートブックコンピュータ等の関連デバイスに応用されることを特徴とする、請求項１に記載の組立式マルチメディア多機能装置。
【考案の詳細な説明】
【技術分野】
【０００１】
本考案は組立式マルチメディア多機能装置に関し、特に、制御回路板及び接続回路板が接続インターフェースにより相互に接続・導通され、これにより、接続回路板が故障したとき、直接接続回路板と制御回路板を分離することができ、抜き取りに便利であると共に使用者が便利に使用することができる、組立式マルチメディア多機能装置に関する。
【背景技術】
【０００２】
一般的な従来のマルチメディア装置は、マルチメディア装置のアクセスデバイスがマルチメディア装置内に嵌設されており、アクセスデバイスが故障した場合、マルチメディア装置全体を分解して修理しなければならず、このため、使用者にとって面倒であり、コストの無駄を招く。
【０００３】
また、読み取り媒体を挿入するためのメモリカードスロットが単一の規格となっており、使用者が別の規格の読み取り媒体を使用したいとき、その内部に挿入することができず、且つ、メモリカードスロットは比較的大容量の読み取り媒体の読み出しをサポートしておらず、また、マルチメディア装置そのものの設計に制限され、別途伝送インターフェースを拡張することはできないため、使用者にとって不便であり、またマルチメディア装置の互換性が低く、その製作コストも高い。
【０００４】
このため、いかに上述の問題を排除するかが、本考案が解決する技術的問題点である。
【考案の開示】
【考案が解決しようとする課題】
【０００５】
本考案の目的は、制御回路板及び接続回路板が接続インターフェースにより相互に接続・導通され、これにより、接続回路板が故障したとき、直接接続回路板と制御回路板を分離することができ、抜き取りに便利であると共に使用者が便利に使用することができる、組立式マルチメディア多機能装置を提供することにある。          
【課題を解決するための手段】
【０００６】
本考案の組立式マルチメディア多機能装置は、そのマルチメディア装置が表示インターフェース及びアクセスデバイスから構成され、そのうち、前記アクセスデバイスが殼体及び接続モジュールから構成され、前記接続モジュールが制御回路板及び接続回路板から構成され、前記制御回路板が前記殼体の片側に嵌合され、前記制御回路板及び接続回路板が接続インターフェースにより相互接続かつ導通され、これにより、前記接続回路板が故障したとき、直接前記接続回路板と前記制御回路板を分離することができ、抜き取りに便利で使用者が便利に使用することができる。        
【考案の効果】
【０００７】
本考案の進歩性と実用性をよりはっきりと示すため、以下従来品と比較して分析する。
《従来品の欠点》
一、  アクセスデバイスがマルチメディア装置内部に嵌設されている。
二、  第一点を受け、修理や交換に不便である。
三、  単一規格のメモリカードスロットのみを備え、比較的大容量の読み取り媒体をサポートしていない。
四、  マルチメディア装置そのものの設計に制限され、別途伝送インターフェースを拡張することはできない。
五、  使用者にとって面倒であり、且つ製造コストが高く、マルチメディア装置の互換性が低い。
《本考案の利点》
一、制御回路板及びび接続回路板が接続インターフェースを介して相互に接続され、導通される。
二、多種類の異なる規格のメモリカードスロットを備えている。
三、第一点を受け、便利に抜き取ることができ、使用者が便利に使用することができる。
四、第二点を受け、多種類の規格の読み取り媒体を便利に挿入して使用することができる。
五、接続回路板上の拡張デバイスにより、伝送インターフェース拡張の目的を達することができる。
六、第五点を受け、アクセスデバイスの互換性を向上することができる。
七、使用者が便利に操作でき、コストと作業時間節約という目的を達することができる。
八、  進歩性と実用性を備えている。
九、  産業的競争力が向上される。
【考案を実施するための最良の形態】
【０００８】
以下、本考案について図面、符号及び実施例に基づき詳細に説明する。本考案の組立式マルチメディア多機能装置は、図１及び図２に示すように、マルチメディア装置Ａが表示インターフェースＡ１及びアクセスデバイスＢから構成される。
【０００９】
前記マルチメディア装置Ａは使用者が操作するための表示インターフェースＡ１が設けられ、また、前記マルチメディア装置ＡのアクセスデバイスＢは殼体Ｃ及び接続モジュールＤから構成され、アクセスデバイスＢの接続モジュールＤは制御回路板Ｇ及び接続回路板Ｆから構成され、前記接続モジュールＤの制御回路板Ｇの片側に前記接続回路板Ｆの第二コネクタ部Ｆ１と相互に対応する第一コネクタ部Ｇ１が設置され、且つ、前記接続モジュールＤの制御回路板Ｇが前記殼体Ｃに嵌合され、また、前記アクセスデバイスＢの殼体Ｃの片側に嵌合槽Ｃ１が設けられ、前記殼体Ｃの嵌合槽Ｃ１に前記接続モジュールＤの接続回路板Ｆが嵌入される。
【００１０】
そのうち、前記接続モジュールＤの接続回路板Ｆの片側に複数の拡張デバイスＦ２、複数のメモリカードスロットＦ３、複数の表示ランプＦ４及び伝送インターフェースＦ５が設けられ、別の箇所に前記接続回路板ＦのメモリカードスロットＦ３と相互に対応するパネルＥが設置され、前記接続回路板ＦのパネルＥには前記メモリカードスロットＦ３に対応する複数の挿入スロットＥ１が設けられ、さらに、前記接続モジュールＤの接続回路板Ｆに前記制御回路板Ｇの第一コネクタ部Ｇ１に対応する第二コネクタ部Ｆ１が設置される。
【００１１】
前記接続回路板ＦのメモリカードスロットＦ３は複数の異なる規格とし、且つ、接続回路板Ｆは複数の表示ランプＦ４を備え、そのうち、接続回路板Ｆの複数の表示ランプＦ４は接続回路板Ｆの異なる規格のメモリカードスロットＦ３に対応する。
【００１２】
本考案の実施方式により提供される組立式マルチメディア多機能装置は、図２から図８に示すように、マルチメディア装置Ａが使用者に写真プリント及び多種類のマルチメディアサービスを提供し、且つ、使用者は多種類のアクセスインターフェースを使用して多種類のアクセスインターフェースを使用して伝送する必要があるデータをマルチメディア装置Ａに伝送することができる。
【００１３】
前記マルチメディア装置ＡはアクセスデバイスＢが設けられ、そのうち、アクセスデバイスＢの殼体Ｃに接続モジュールＤが嵌合され、また、接続モジュールＤの接続回路板Ｆ及び制御回路板Ｇが接続インターフェースＨにより相互に接続かつ導通され、これにより、接続回路板Ｆが故障したとき、直接接続モジュールＤの接続回路板Ｆ及び制御回路板Ｇを分離し、便利に抜き取ることができ、使用者に便利である。
【００１４】
使用者が使用するとき、使用者は読み取り媒体ＩをメモリカードスロットＦ３内に先に挿入する必要はなく、マルチメディア装置Ａの表示インターフェースＡ１で必要な読み取り媒体Ｉの規格を選択すると、同時に使用者が選択した読み取り媒体Iの規格の表示ランプＦ４が点灯し、このとき、読み取り媒体Iを表示ランプＦ４に対応するメモリカードスロットＦ３内に挿入すればよく、これにより、伝送する必要があるデータをマルチメディア装置Ａ上に伝送し、さらにマルチメディア装置Ａの表示インターフェースＡ１を介して使用者が必要とするマルチメディアサービスを操作することができる。
【００１５】
接続インターフェースＨはIDE（Ｉｎｔｅｇｒａｔｅｄ  Ｄｒｉｖｅ  Ｅｌｅｃｔｒｏｎｉｃｓ）、ＳＡＴＡ（Sｅｒｉａｌ  Ａｄｖａｎｃｅｄ  ｔｅｃｈｎｏｌｏｇｙ  Ａｔｔａｃｈｍｅｎｔ）、ユニバーサルシリアルバス（ＵＳＢ、Ｕｎｉｖｅｒｓａｌ  Ｓｅｒｉａｌ  Ｂｕｓ）、ＩＥＥＥ１３９４（Ｉｎｓｔｉｔｕｔｅ  ｏｆ  Ｅｌｅｃｔｒｉｃａｌ  ａｎｄ  Ｅｌｅｃｔｒｏｎｉｃ  Ｅｎｇｉｎｅｅｒｓ  Ｓｔａｎｄａｒｄ  Ｂｕｓ  Ｉｎｔｅｒｆａｃｅ）、ＰＣＩ−Ｅ、エクスプレスカード等、関連の接続が達成できる接続インターフェースＨとすることができる。
【００１６】
そのうち、接続回路板Ｆの拡張デバイスＦ２は複数とし、且つ、拡張デバイスＦ２に別途拡張部材Ｊを設け、これにより、伝送インターフェース拡張の目的を達することができる。そのうち、拡張部材Ｊは、無線デバイス、プリンタポート、ブルートゥース（Ｂｌｕｅ−ｔｏｏｔｈ）、携帯メモリ及びクレジットカードカードリーダ等のデータ伝送可能な関連の拡張部材Ｊとすることができる。
【００１７】
そのうち、接続モジュールＤの接続回路板Ｆは複数の規格のメモリカードスロットＦ３及び複数の伝送インターフェースＦ５が設けられ、且つ、この接続回路板ＦのメモリカードスロットＦ３は多種類の規格の読み取り媒体Ｉを挿入して使用することができる。そのうち、読み取り媒体Ｉは、ＣＦカード（ＣｏｍｐａｃｔＦｌａｓｈ  Ｍｅｍｏｒｙ  Ｃａｒｄ）、ＭＳカード（ＭｅｍｏｒｙＳｔｉｃｋ  Ｍｅｍｏｒｙ  Ｃａｒｄ）、ＳＤカード（Ｓｅｃｕｒｅ  Ｄｉｇｉｔａｌ  Ｍｅｍｏｒｙ  Ｃａｒｄ）、ミニＳＤカード（Ｍｉｎｉ  Ｓｅｃｕｒｅ  Ｄｉｇｉｔａｌ  Ｍｅｍｏｒｙ  Ｃａｒｄ）、マイクロＳＤカード（Ｍｉｃｒｏ  Ｓｅｃｕｒｅ  Ｄｉｇｉｔａｌ  Ｍｅｍｏｒｙ  Ｃａｒｄ）、ＭＭＣカード（Ｍｕｌｔｉ  Ｍｅｄｉａ  Ｍｅｍｏｒｙ  Ｃａｒｄ）、ＲＳＭＭＣカード（Ｒｅｄｕｃｅｄ  Ｓｉｚｅ  Ｍｕｌｔｉ  Ｍｅｄｉａ  Ｍｅｍｏｒｙ  Ｃａｒｄ）、ＳＭカード（Ｓｍａｒｔ  Ｍｅｄｉａ（登録商標）  Ｍｅｍｏｒｙ  Ｃａｒｄ）、ＸＤカード（ｅＸｔｒｅｍｅ  Ｄｉｇｉｔａｌ  Ｐｉｃｔｕｒｅ  Ｍｅｍｏｒｙ  Ｃａｒｄ）、Ｍ２カード（ＭＳ  Ｍｉｃｒｏ  Ｃａｒｄ）、ＭＭＣマイクロカード（Ｍｕｌｔｉ  Ｍｅｄｉａ  Ｍｅｍｏｒｙ  Ｃａｒｄ  Ｍｉｃｒｏ）とすることができ、これにより、多種類の規格の読み取り媒体Ｉを便利に挿入して使用することができる。
【００１８】
前記接続回路板Ｆの複数の伝送インターフェースＦ５は、ユニバーサルシリアルバス（ＵＳＢ、Ｕｎｉｖｅｒｓａｌ  Ｓｅｒｉａｌ  Ｂｕｓ）、赤外線（ＩｒＤＡ  Ｉｎｆｒａ−ｒｅｄ  Ｄａｔａ  Ａｓｓｏｃｉａｔｉｏｎ
）、ブルートゥース（Ｂｌｕｅ−ｔｏｏｔｈ）等、伝送が達成できる関連インターフェースとして設けることができる。
【００１９】
前記接続回路板Ｆには複数の表示ランプＦ４が設置され、且つ、この接続回路板Ｆの表示ランプＦ４は接続回路板ＦのメモリカードスロットＦ３にそれぞれ対応し、これにより、接続回路板ＦのメモリカードスロットＦ３に読み取り媒体Ｉが挿入されると、接続回路板Ｆの表示ランプＦ４が点灯し、これにより、読み取り媒体ＩがメモリカードスロットＦ３と導通されているか否かを判別することができる。
【００２０】
アクセスデバイスＢはさらに３.５インチ、５.２５インチ及び複数の規格の寸法とすることができ、且つ、デスクトップコンピュータ、ノートブックコンピュータ等の関連装置に応用することができる。
【００２１】
以上で述べた説明は、本考案の最良の実施例に基づくものであり、本考案の特許範囲を制限するものではなく、本考案の明細書及び図面の内容を運用した同等効果を持つ構造を直接的または間接的にその他関連技術領域に応用したものはすべて、本考案の要旨の範囲内に含まれるものと見なす。
【００２２】
上述をまとめると、本考案は先行技術を打破する構造の下、確実にその増進を図る効果を達することができ、且つ、関連技術を熟知した人物が容易に思い付くものではなく、さらに、本考案はその出願前に公開されたことがなく、その進歩性及びび実用性は実用新案登録出願の要件を満たしているため、法に基づきここに実用新案登録を出願するものである。
【図面の簡単な説明】
【００２３】
【図１】本考案の立体図である。
【図２】本考案の立体分解図である。
【図３】本考案の実施例図１である。
【図４】本考案の実施例図２である。
【図５】本考案の実施例図３である。
【図６】本考案の実施例図４である。
【図７】本考案の実施例図５である。
【図８】本考案の実施例図６である。
【符号の説明】
【００２４】
Ａ        マルチメディア装置
Ａ１      表示インターフェース
Ｂ        アクセスデバイス
Ｃ        殼体
Ｃ１      嵌合槽
Ｄ        接続モジュール
Ｅ        パネル
Ｅ１      挿入スロット
Ｆ        接続回路板
Ｆ１      第二コネクタ部
Ｆ２      拡張デバイス
Ｆ３      メモリカードスロット
Ｆ４      表示ランプ
Ｆ５      伝送インターフェース
Ｇ        制御回路板
Ｇ１      第一コネクタ部
Ｈ        接続インターフェース
Ｉ        読み取り媒体
Ｊ        拡張部材
【図１】
0003139327.tif 000003
【図２】
0003139327.tif 000004
【図３】
0003139327.tif 000005
【図４】
0003139327.tif 000006
【図５】
0003139327.tif 000007
【図６】
0003139327.tif 000008
【図７】
0003139327.tif 000009
【図８】
0003139327.tif 000010